(57)【要約】      （修正有）【課題】画像相関性に関係した各種処理を施すのに好都合な立体画像処理方法及びプログラム及び記録媒体を提供する。【解決手段】１ピクセルは、立体画像や処理画像における太枠で囲まれた３つの画素（赤画素と緑画素と青画素）又は細線で囲まれた３つの画素（赤画素と緑画素と青画素）となるように、立体画像上で色と視点番号との組み合わせが一致するピクセルだけを選択して処理用画像を生成し、この処理用画像に対して画像相関性に関係する処理を施す。【選択図】図１
2004179703.tif 000002
【特許請求の範囲】
【請求項１】
立体画像上で色と視点番号との組み合わせが一致するピクセルだけを選択して処理用画像を生成し、この処理用画像に対して画像相関性に関係する処理を施すことを特徴とする立体画像処理方法。
【請求項２】
請求項１に記載の立体画像処理方法において、前記処理を施した後に立体画像に戻すことを特徴とする立体画像処理方法。
【請求項３】
立体画像上で色と視点番号との組み合わせが一致するピクセルだけを選択したものに相当する処理用画像を生成し、この処理用画像に対して画像相関性に関係する処理を施すことを特徴とする立体画像処理方法。
【請求項４】
立体画像上で色と視点番号との組み合わせが一致するピクセルだけを選択したものに相当する処理用画像を複数視点の原画像から生成し、この処理用画像に対して画像相関性に関係する処理を施すことを特徴とする立体画像処理方法。
【請求項５】
請求項１乃至請求項４のいずれかに記載の立体画像処理方法において、前記相関性に関係する処理として処理用画像データを周波数空間に変換する処理を行なうことを特徴とする立体画像処理方法。
【請求項６】
請求項５に記載の立体画像処理方法において、視点数おきにピクセルを選択しながら周波数空間に変換する処理を行うことを特徴とする立体画像処理方法。
【請求項７】
請求項５又は請求項６に記載の立体画像処理方法において、周波数空間に変換するためのブロックのサイズを視点数に基づいて決定することを特徴とする立体画像処理方法。
【請求項８】
請求項５乃至請求項７のいずれかに記載の立体画像処理方法において、通常のブロックサイズに対して、水平視点数をＮ、垂直視点数をＭとしたときに、ブロックサイズを水平Ｎ倍、垂直Ｍ倍することを特徴とする立体画像処理方法。
【請求項９】
請求項１乃至請求項８のいずれかに記載の立体画像処理方法において、前記相関性に関係する処理は、画像の拡大、画像の縮小、フィルタ処理、及び符号化処理のうちの少なくとも一つであることを特徴とする立体画像処理方法。
【請求項１０】
請求項１乃至請求項９のいずれかに記載の立体画像処理方法において、前記立体画像は水平及び垂直の少なくとも一方の一画素毎に複数の視点画像を順に並べた立体画像であることを特徴とする立体画像処理方法。
【請求項１１】
請求項１乃至請求項１０のいずれかに記載の立体画像処理方法において、処理用画像データのヘッダに立体情報か否かを示す情報が記録されており、その情報に基づいて画像の種類を判定し、処理の手法を決めることを特徴とする立体画像処理方法。
【請求項１２】
コンピュータを、請求項１乃至請求項１１のいずれかに記載の立体画像処理方法を実行する手段として機能させるプログラム。
【請求項１３】
請求項１２に記載のプログラムが記録された記録媒体。
【発明の詳細な説明】
【０００１】
【産業上の利用分野】
この発明は、立体画像処理方法及びプログラム及び記録媒体に関する。
【０００２】
【従来の技術】
図２に示すように、視差を有する視点１画像（右眼画像Ｒ）と視点２画像（左眼画像Ｌ）とを用い、立体画像を合成する方法が知られている。前記立体画像に対しては、パララックスバリア等を用いることで、右眼画像Ｒを観察者の右眼に、左眼画像Ｌを観察者の左眼にそれぞれ導くことができ、眼鏡無しで立体視が可能となる。合成後の立体画像はドット（画素）単位で異なる画像が混在し、隣り合うピクセル間でも相関性が低いものとなり、画像相関性に関係した各種処理を施すには不都合である。画像相関性に関係した各種処理とは、例えば、画像の拡大、縮小、エッジ強調などのフィルタ処理、高圧縮率での符号化などである。
【０００３】
このため、従来は、合成前の画像にこれらの処理を適宜施し、その都度再合成するということが行われていた。合成前の画像に所定の処理を施す従来技術としては、４８０ｉ（走査線４８０本のインタレース映像）映像フォーマットで撮影した２画面（右目用映像と左目用映像）を４８０Ｐ（走査線４８０本のプログレッシブ映像）映像フォーマット一画面の上下に多重し、ディジタル放送波を使ってこれを放送し、受信機側で受信した上下多重映像を元の二画面に戻して立体表示装置で視聴する立体放送システムが提案されている（特許文献１参照）。
【０００４】
【特許文献１】
特開平１０−１７４０６４号公報
【０００５】
【発明が解決しようとする課題】
しかしながら、立体処理前画像を受信して立体画像生成の処理としてドット単位での並べ替え処理を行なうには時間がかかる。動画像、特にストリーミングにおいては実用的とはいえないものである。
【０００６】
この発明は、上記の事情に鑑み、画像相関性に関係した各種処理を施すのに好都合となる立体画像処理方法及びプログラム及び記録媒体を提供することを目的とする。
【０００７】
【課題を解決するための手段】
この発明の立体画像処理方法は、上記の課題を解決するために、立体画像上で色と視点番号との組み合わせが一致するピクセルだけを選択して処理用画像を生成し、この処理用画像に対して画像相関性に関係する処理を施すことを特徴とする。前記処理を施した後に立体画像に戻すこととしてもよい。
【０００８】
また、この発明の立体画像処理方法は、立体画像上で色と視点番号との組み合わせが一致するピクセルだけを選択したものに相当する処理用画像を生成し、この処理用画像に対して画像相関性に関係する処理を施すことを特徴とする。
【０００９】
また、この発明の立体画像処理方法は、立体画像上で色と視点番号との組み合わせが一致するピクセルだけを選択したものに相当する処理用画像を複数視点の原画像から生成し、この処理用画像に対して画像相関性に関係する処理を施すことを特徴とする。
【００１０】
これらの立体画像処理方法において、前記相関性に関係する処理として処理用画像データを周波数空間に変換する処理を行なうこととしてもよい。
【００１１】
上記の立体画像処理方法において、視点数おきにピクセルを選択しながら周波数空間に変換する処理を行うこととしてもよい。また、周波数空間に変換するためのブロックのサイズを視点数に基づいて決定するようにしてもよい。また、通常のブロックサイズに対して、水平視点数をＮ、垂直視点数をＭとしたときに、ブロックサイズを水平Ｎ倍、垂直Ｍ倍することとしてもよい。
【００１２】
これらの立体画像処理方法において、前記相関性に関係する処理は、画像の拡大、画像の縮小、フィルタ処理、及び符号化処理のうちの少なくとも一つとしてもよい。また、前記立体画像は水平及び垂直の少なくとも一方の一画素毎に複数の視点画像を順に並べた立体画像であることとしてもよい。また、処理用画像データのヘッダに立体情報か否かを示す情報が記録されており、その情報に基づいて画像の種類を判定し、処理の手法を決めることとしてもよい。
【００１３】
また、この発明のプログラムは、コンピュータを、上述したいずれかの立体画像処理方法を実行する手段として機能させる。すなわち、コンピュータを、立体画像上で色と視点番号との組み合わせが一致するピクセルだけを選択して処理用画像を生成する手段と、この処理用画像に対して画像相関性に関係する処理を施す手段として機能させる。コンピュータを、前記処理を施した後に立体画像に戻すための手段として機能させることとしてもよい。コンピュータを、立体画像上で色と視点番号との組み合わせが一致するピクセルだけを選択したものに相当する処理用画像を生成する手段と、この処理用画像に対して画像相関性に関係する処理を施す手段として機能させる。コンピュータを、立体画像上で色と視点番号との組み合わせが一致するピクセルだけを選択したものに相当する処理用画像を複数視点の原画像から生成するための手段と、この処理用画像に対して画像相関性に関係する処理を施す手段として機能させる。これらのプログラムにおいて、コンピュータを、前記相関性に関係する処理として処理用画像データを周波数空間に変換する処理を行なう手段として機能させるためのものとしてもよい。また、コンピュータを、視点数おきにピクセルを選択しながら周波数空間に変換する処理を行う手段として機能させるためのものとしてもよい。また、コンピュータを、周波数空間に変換するためのブロックのサイズを視点数に基づいて決定する手段として機能させるためのものとしてもよい。また、コンピュータを、通常のブロックサイズに対して、水平視点数をＮ、垂直視点数をＭとしたときに、ブロックサイズを水平Ｎ倍、垂直Ｍ倍する手段として機能させるためのものとしてもよい。また、コンピュータを、前記相関性に関係する処理として、画像の拡大、画像の縮小、フィルタ処理、及び符号化処理のうちの少なくとも一つを行なわせる手段として機能させるためのものとしてもよい。また、コンピュータを、前記立体画像が水平及び垂直の少なくとも一方の一画素毎に複数の視点画像を順に並べた立体画像とするための手段として機能させるためのものとしてもよい。また、コンピュータを、処理用画像データのヘッダに立体情報か否かを示す情報を読み出す手段と、その情報に基づいて画像の種類を判定する手段と、処理の手法を決める手段として機能させるためのものとしてもよい。
【００１４】
また、この発明の記録媒体は、上述したいずれかのプログラムが記録された記録媒体（ＣＤ−ＲＯＭ等）である。
【００１５】
【発明の実施の形態】
以下、この発明の実施形態の立体画像処理方法を図１乃至図９に基づいて説明していく。
【００１６】
図１に示す立体画像において（図２の立体画像と同じである）、隣同士のピクセルについては従来項でも述べたが、相関性は低い。だが、１ピクセルおきに見ると、視点と色の関係が同じ組み合わせとなるため相関性が高くなる。なお、１ピクセルは、図１の立体画像や処理用画像おける太枠で囲まれた３つの画素（赤画素と緑画素と青画素）又は細線で囲まれた３つの画素（赤画素と緑画素と青画素）となる。一般には、視点数をＮとするとＮピクセルおきに相関性が高くなる。この相関性の高いピクセル同士を集めれば（すなわち、処理用画像とすれば）、通常の画像に対する処理と同じ処理を施すことが可能となる。この手法であれば、ピクセル単位での並べ替えとなるので、各種処理が高速になる。
【００１７】
処理例について説明する。いずれも従来と比較して高速に処理できる。
【００１８】
▲１▼原画像を前処理し、処理用画像の状態で符号化等を行う。原画像に対する処理の一例を図３のフローチャートに示す。送信側装置のＣＰＵ（コンピュータ）は、原画像の視点１のＮ番目（Ｎは１から始まる整数とする）のピクセル（Ｒ（赤），Ｇ（緑），Ｂ（青））データをメモリ（図示せず）から読み出す（ステップＳ１）。また、原画像の視点１のＮ番目のピクセル（Ｒ，Ｇ，Ｂ）データをメモリから読み出す（ステップＳ２）。そして、視点１のピクセルのＧを視点２のピクセルのＧと交換して処理用画像の視点１のピクセルとしてメモリに書き込む（ステップＳ３）。また、視点２のピクセルのＧを視点１のピクセルのＧと交換して処理用画像の視点２のピクセルとしてメモリに書き込む（ステップＳ４）。かかる処理を全ピクセルについて行なう（ステップＳ５，ステップＳ６，ステップＳ７，ステップＳ８）。このようにして得られた処理用画像を、例えばストリーミング配信し、受信側で並べ替え処理を行うことで立体動画を見ることができる。また、送信側装置のＣＰＵ（コンピュータ）は、処理用画像データのヘッダに立体情報か否か等を示す情報を付加する。この情報は、例えば、立体情報か否か、立体方式、視点数などがある。記録する。されており、その情報に基づいて画像の種類を判定し、処理の手法を決めることとしてもよい。
【００１９】
▲２▼処理用画像から立体画像を生成する処理の一例を図４のフローチャートに示す。受信側装置（コンピュータ機能を有する放送受信装置、パーソナルコンピュータ等）のＣＰＵは、受信した処理用画像の視点１のＮ番目（Ｎは１から始まる整数とする）のピクセル（Ｒ，Ｇ，Ｂ）データをメモリから読み出す（ステップＳ１１）。そして、立体画像のデータが格納されるメモリ（ＶＲＡＭ等）の２Ｎ−１番目に相当するアドレスにピクセル（Ｒ，Ｇ，Ｂ）データを書き込む（ステップＳ１２）。また、処理用画像の視点２のＮ番目のピクセル（Ｒ，Ｇ，Ｂ）データをメモリから読み出す（ステップＳ１３）。そして、立体画像のデータが格納されるメモリの２Ｎ番目に相当するアドレスにピクセル（Ｒ，Ｇ，Ｂ）データを書き込む（ステップＳ１４）。かかる処理を全ピクセルについて行なう（ステップＳ１５，ステップＳ１６，ステップＳ１７，ステップＳ１８）。ピクセル単位での並べ替えとなるので受信側装置での処理の負担は軽くなり、高速処理が行なえる。また、受信側装置（コンピュータ機能を有する放送受信装置、パーソナルコンピュータ等）処理用画像データのヘッダに記録された情報に基づいて、立体情報か否か、立体方式、視点数などを判断する。その情報に基づいて画像の種類を判定し、立体処理の手法（斜めバリア配置用画素並び、垂直バリア配置用画素並び、水平バリア配置用画素並び等）を決める。
【００２０】
▲３▼受信側装置では、立体画像から処理用画像に逆変換し、拡大（画素補完処理等）、縮小（画素間引き処理等）、フィルタ処理（ディジタルフィルタ処理等）などの各種処理を施した後に、再変換して立体画像を生成することができる。この逆変換の一例を図５のフローチャートに示す。立体画像のデータが格納されるメモリ（ＶＲＡＭ等）の２Ｎ−１（Ｎは１から始まる整数とする）番目に相当するアドレスのピクセル（Ｒ，Ｇ，Ｂ）データを読み出す（ステップＳ２１）。そして、処理用画像の視点１のＮ番目に相当するアドレスにピクセル（Ｒ，Ｇ，Ｂ）データを書き込む（ステップＳ２２）。また、立体画像のデータが格納されるメモリ（ＶＲＡＭ等）の２Ｎ番目に相当するアドレスのピクセル（Ｒ，Ｇ，Ｂ）データを読み出す（ステップＳ２３）。そして、処理用画像の視点２のＮ番目に相当するアドレスにピクセル（Ｒ，Ｇ，Ｂ）データを書き込む（ステップＳ２４）。かかる処理を全ピクセルについて行なう（ステップＳ２５，ステップＳ２６，ステップＳ２７，ステップＳ２８）。ピクセル単位での並べ替えとなるので受信側装置での処理の負担は軽くなり、高速処理が行なえる。
【００２１】
▲４▼送信側装置では、原画像から立体画像を生成し、記録媒体への保存時は処理用画像で符号化するのがよい。符号化（記録時や送信時）においては、その処理の中にこの発明の立体画像処理方法を組み込むことも可能である。例えば通常の離散コサイン変換では、図６に示すように、画像は８ピクセル×８ピクセルのブロックで周波数変換され、所定の処理を経て符号化される。なお、図中の上段の数値は視点番号であり、１，１等は原画像の列，行を示す。
【００２２】
２視点画像の場合は、図７に示すように、ブロックを１６×８ピクセルとし、図１の立体画像については１ピクセルおきに選択し（図１の処理用画像としてメモリに格納されているのであれば各視点画像内で隣りのピクセルを選択し）、周波数変換すればよい。例えば、この周波数変換を、視点１画像に対して施した後に、続いて視点２に対して施し、次のブロックに処理を移す。復号時にはその逆の処理を行う。通常の高速変換処理も、画素値から係数値を導出するだけで、画素の位置関係には影響されないので、対応可能である。上記処理は、図８に示すように並べ替えた画像を符号化するのと同等である。
【００２３】
なお、上記符号化の処理は、カラー立体画像だけでなく、白黒立体画像に対しても有効である。
【００２４】
視点数がＮであれば、ブロックを８Ｎピクセル×８ピクセルとする。垂直方向に複数の視点画像が交互に並ぶ場合も同様で、Ｎ×Ｍ視点であれば、ブロックは８Ｎ×８Ｍとなる。ただし、通常の変換と同じで、必ずしも８の倍数である必要はない。
【００２５】
複数のピンホールを斜めに配置する立体映像表示装置（斜めバリア方式：特許第３０９６６１３号等参照）の場合は、図９に示すようにピクセルが並ぶ。この並びに対して図８に示したごとくピクセルが集まるようにピクセル単位で読出アドレスを設定し符号化を行なえばよいことになる。
【００２６】
【発明の効果】
以上説明したように、この発明によれば、画像相関性に関係した各種処理を施すのに好都合になる等の諸効果を奏する。
【図面の簡単な説明】
【図１】発明の実施形態の立体画像処理方法を示した説明図である。
【図２】従来の立体画像処理方法を示した説明図である。
【図３】発明の実施形態の立体画像処理方法（アルゴリズム）を例示したフローチャートである。
【図４】発明の実施形態の立体画像処理方法（アルゴリズム）を例示したフローチャートである。
【図５】発明の実施形態の立体画像処理方法（アルゴリズム）を例示したフローチャートである。
【図６】ピクセル単位の並べ替えを示した説明図である。
【図７】ピクセル単位の並べ替えを示した説明図である。
【図８】ピクセル単位の並べ替えを示した説明図である。
【図９】
【符号の説明】
Ｒ  右映像
Ｌ  左映像
【図１】
2004179703.tif 000003
【図２】
2004179703.tif 000004
【図３】
2004179703.tif 000005
【図４】
2004179703.tif 000006
【図５】
2004179703.tif 000007
【図６】
2004179703.tif 000008
【図７】
2004179703.tif 000009
【図８】
2004179703.tif 000010
【図９】
2004179703.tif 000011
【手続補正書】
【提出日】平成15年2月3日(2003.2.3)
【手続補正１】
【補正対象書類名】明細書
【補正対象項目名】特許請求の範囲
【補正方法】変更
【補正の内容】
【特許請求の範囲】
【請求項１】
立体画像上で色と視点番号との組み合わせが一致するピクセルだけを選択して処理用画像を生成し、この処理用画像に対して画像相関性に関係する処理を施すことを特徴とする立体画像処理方法。
【請求項２】
請求項１に記載の立体画像処理方法において、前記処理を施した後に立体画像に戻すことを特徴とする立体画像処理方法。
【請求項３】
立体画像上で色と視点番号との組み合わせが一致するピクセルだけを選択したものに相当する処理用画像を生成し、この処理用画像に対して画像相関性に関係する処理を施すことを特徴とする立体画像処理方法。
【請求項４】
立体画像上で色と視点番号との組み合わせが一致するピクセルだけを選択したものに相当する処理用画像を複数視点の原画像から生成し、この処理用画像に対して画像相関性に関係する処理を施すことを特徴とする立体画像処理方法。
【請求項５】
請求項１乃至請求項４のいずれかに記載の立体画像処理方法において、前記相関性に関係する処理として処理用画像データを周波数空間に変換する処理を行なうことを特徴とする立体画像処理方法。
【請求項６】
視点数おきにピクセルを選択しながら周波数空間に変換する処理を行うことを特徴とする立体画像処理方法。
【請求項７】
請求項６に記載の立体画像処理方法において、周波数空間に変換するためのブロックのサイズを視点数に基づいて決定することを特徴とする立体画像処理方法。
【請求項８】
請求項６又は請求項７に記載の立体画像処理方法において、通常のブロックサイズに対して、水平視点数をＮ、垂直視点数をＭとしたときに、ブロックサイズを水平Ｎ倍、垂直Ｍ倍することを特徴とする立体画像処理方法。
【請求項９】
請求項１乃至請求項５のいずれかに記載の立体画像処理方法において、前記相関性に関係する処理は、画像の拡大、画像の縮小、フィルタ処理、及び符号化処理のうちの少なくとも一つであることを特徴とする立体画像処理方法。
【請求項１０】
請求項１乃至請求項９のいずれかに記載の立体画像処理方法において、前記立体画像は水平及び垂直の少なくとも一方の一画素毎に複数の視点画像を順に並べた立体画像であることを特徴とする立体画像処理方法。
【請求項１１】
請求項１乃至請求項１０のいずれかに記載の立体画像処理方法において、処理用画像データのヘッダに立体情報か否かを示す情報が記録されており、その情報に基づいて画像の種類を判定し、処理の手法を決めることを特徴とする立体画像処理方法。
【請求項１２】
コンピュータを、請求項１乃至請求項１１のいずれかに記載の立体画像処理方法を実行する手段として機能させるプログラム。
【請求項１３】
請求項１２に記載のプログラムが記録された記録媒体。
【手続補正２】
【補正対象書類名】明細書
【補正対象項目名】００１１
【補正方法】変更
【補正の内容】
【００１１】
視点数おきにピクセルを選択しながら周波数空間に変換する処理を行うこととしてもよい。また、周波数空間に変換するためのブロックのサイズを視点数に基づいて決定するようにしてもよい。また、通常のブロックサイズに対して、水平視点数をＮ、垂直視点数をＭとしたときに、ブロックサイズを水平Ｎ倍、垂直Ｍ倍することとしてもよい。


【手続補正３】
【補正対象書類名】明細書
【補正対象項目名】００１８
【補正方法】変更
【補正の内容】
【００１８】
▲１▼原画像を前処理し、処理用画像の状態で符号化等を行う。原画像に対する処理の一例を図３のフローチャートに示す。送信側装置のＣＰＵ（コンピュータ）は、原画像の視点１のＮ番目（Ｎは１から始まる整数とする）のピクセル（Ｒ（赤），Ｇ（緑），Ｂ（青））データをメモリ（図示せず）から読み出す（ステップＳ１）。また、原画像の視点１のＮ番目のピクセル（Ｒ，Ｇ，Ｂ）データをメモリから読み出す（ステップＳ２）。そして、視点１のピクセルのＧを視点２のピクセルのＧと交換して処理用画像１のピクセルとしてメモリに書き込む（ステップＳ３）。また、視点２のピクセルのＧを視点１のピクセルのＧと交換して処理用画像２のピクセルとしてメモリに書き込む（ステップＳ４）。かかる処理を全ピクセルについて行なう（ステップＳ５，ステップＳ６，ステップＳ７，ステップＳ８）。このようにして得られた処理用画像を、例えばストリーミング配信し、受信側で並べ替え処理を行うことで立体動画を見ることができる。また、送信側装置のＣＰＵ（コンピュータ）は、処理用画像データのヘッダに立体情報か否か等を示す情報を付加する。この情報としては、例えば、立体情報か否か、立体方式、視点数などがあり、その情報に基づいて画像の種類を判定し、処理の手法を決めることとしてもよい。


【手続補正４】
【補正対象書類名】明細書
【補正対象項目名】００１９
【補正方法】変更
【補正の内容】
【００１９】
▲２▼処理用画像から立体画像を生成する処理の一例を図４のフローチャートに示す。受信側装置（コンピュータ機能を有する放送受信装置、パーソナルコンピュータ等）のＣＰＵは、受信した処理用画像１のＮ番目（Ｎは１から始まる整数とする）のピクセル（Ｒ，Ｇ，Ｂ）データをメモリから読み出す（ステップＳ１１）。そして、立体画像のデータが格納されるメモリ（ＶＲＡＭ等）の２Ｎ−１番目に相当するアドレスにピクセル（Ｒ，Ｇ，Ｂ）データを書き込む（ステップＳ１２）。また、処理用画像２のＮ番目のピクセル（Ｒ，Ｇ，Ｂ）データをメモリから読み出す（ステップＳ１３）。そして、立体画像のデータが格納されるメモリの２Ｎ番目に相当するアドレスにピクセル（Ｒ，Ｇ，Ｂ）データを書き込む（ステップＳ１４）。かかる処理を全ピクセルについて行なう（ステップＳ１５，ステップＳ１６，ステップＳ１７，ステップＳ１８）。ピクセル単位での並べ替えとなるので受信側装置での処理の負担は軽くなり、高速処理が行なえる。また、受信側装置（コンピュータ機能を有する放送受信装置、パーソナルコンピュータ等）は処理用画像データのヘッダに記録された情報に基づいて、立体情報か否か、立体方式、視点数などを判断する。その情報に基づいて画像の種類を判定し、立体処理の手法（斜めバリア配置用画素並び、垂直バリア配置用画素並び、水平バリア配置用画素並び等）を決める。


【手続補正５】
【補正対象書類名】明細書
【補正対象項目名】００２０
【補正方法】変更
【補正の内容】
【００２０】
▲３▼受信側装置では、立体画像から処理用画像に逆変換し、拡大（画素補完処理等）、縮小（画素間引き処理等）、フィルタ処理（ディジタルフィルタ処理等）などの各種処理を施した後に、再変換して立体画像を生成することができる。この逆変換の一例を図５のフローチャートに示す。立体画像のデータが格納されるメモリ（ＶＲＡＭ等）の２Ｎ−１（Ｎは１から始まる整数とする）番目に相当するアドレスのピクセル（Ｒ，Ｇ，Ｂ）データを読み出す（ステップＳ２１）。そして、処理用画像１のＮ番目に相当するアドレスにピクセル（Ｒ，Ｇ，Ｂ）データを書き込む（ステップＳ２２）。また、立体画像のデータが格納されるメモリ（ＶＲＡＭ等）の２Ｎ番目に相当するアドレスのピクセル（Ｒ，Ｇ，Ｂ）データを読み出す（ステップＳ２３）。そして、処理用画像２のＮ番目に相当するアドレスにピクセル（Ｒ，Ｇ，Ｂ）データを書き込む（ステップＳ２４）。かかる処理を全ピクセルについて行なう（ステップＳ２５，ステップＳ２６，ステップＳ２７，ステップＳ２８）。ピクセル単位での並べ替えとなるので受信側装置での処理の負担は軽くなり、高速処理が行なえる。


【手続補正６】
【補正対象書類名】図面
【補正対象項目名】図３
【補正方法】変更
【補正の内容】
【図３】
2004179703.tif 000012
【手続補正７】
【補正対象書類名】図面
【補正対象項目名】図４
【補正方法】変更
【補正の内容】
【図４】
2004179703.tif 000013
【手続補正８】
【補正対象書類名】図面
【補正対象項目名】図５
【補正方法】変更
【補正の内容】
【図５】
2004179703.tif 000014